(57)【特許請求の範囲】
【請求項１】
撮影された第一の医用画像の再撮影として第二の医用画像の撮影を要求する情報である再撮影要求、または、追加として第三の医用画像の撮影を要求する情報である追加撮影要求を取得する第一の取得手段と、
前記第一の取得手段により前記再撮影要求が取得された場合には、前記第二の医用画像を識別するための情報として、前記再撮影要求のあった前記第一の医用画像を識別するための情報を前記第二の医用画像に付帯させ、
前記第一の取得手段により前記追加撮影要求が取得された場合には、前記第三の医用画像を識別するための情報を、前記第三の医用画像に付帯させる付帯手段と、
医用画像の撮影を含む検査の情報を管理する管理装置に対して、前記検査に含まれる撮影が全て完了したことを示す完了通知が、前記取得された前記再撮影要求または前記追加撮影要求のあった検査に関して出力されたか否かを取得する第二の取得手段と、を有し、
前記付帯手段は、前記取得された前記再撮影要求または前記追加撮影要求のあった検査に関して前記管理装置に前記完了通知が出力されている場合には、前記第二の医用画像または前記第三の医用画像の撮影を含む検査を識別するための情報として、前記完了通知が出力された検査とは区別して識別するための情報を、前記第二の医用画像または前記第三の医用画像に付帯させ、
前記取得された前記再撮影要求または前記追加撮影要求のあった検査に関して前記管理装置に前記完了通知が出力されていない場合には、前記第二の医用画像または前記第三の医用画像の撮影を含む検査を識別するための情報として、前記再撮影要求または前記追加撮影要求のあった検査を識別するための情報を、前記第二の医用画像または前記第三の医用画像に付帯させることを特徴とする情報処理装置。
【請求項２】
前記再撮影要求には、前記第一の医用画像の撮影を含む検査を識別するための情報と、前記第一の医用画像を識別するための情報とを少なくとも含むことを特徴とする請求項１に記載の情報処理装置。
【請求項３】
前記追加撮影要求には、前記第三の医用画像の撮影を追加する検査を識別するための情報と、前記第三の医用画像の撮影の撮影手技を識別するための情報とを少なくとも含むことを特徴とする請求項１または２に記載の情報処理装置。
【請求項４】
前記第一の取得手段により取得された前記再撮影要求に基づいて前記第二の医用画像の撮影を行うための検査情報を生成し、前記取得された前記追加撮影要求に基づいて前記第三の医用画像の撮影を行うための検査情報を生成する生成手段をさらに有することを特徴とする請求項１乃至請求項３のいずれか一項に記載の情報処理装置。
【請求項５】
前記第一の取得手段により取得された前記再撮影要求に基づいて前記管理装置から取得される情報に基づいて前記第二の医用画像の撮影を行うための検査情報を生成し、前記取得された前記追加撮影要求に基づいて前記管理装置から取得される情報に基づいて前記第三の医用画像の撮影を行うための検査情報を生成する生成手段をさらに有することを特徴とする請求項１乃至請求項４のいずれか一項に記載の情報処理装置。
【請求項６】
前記生成手段は、前記再撮影要求または前記追加撮影要求に含まれる、検査を識別するための情報に基づいて識別される検査において撮影された医用画像に付帯する情報を取得して、前記検査情報を生成することを特徴とする請求項４または請求項５に記載の情報処理装置。
【請求項７】
前記生成手段は、前記再撮影要求または前記追加撮影要求に含まれる、検査を識別するための情報に基づいて識別される検査において撮影された医用画像に付帯する情報を、前記管理装置とは異なる他の外部装置から取得して、前記検査情報を生成することを特徴とする請求項５に記載の情報処理装置。
【請求項８】
前記第一の取得手段により取得された情報が、前記再撮影要求であるか前記追加撮影要求であるかを、検査要求情報に基づいて判定する判定手段をさらに有することを特徴とする請求項１乃至請求項７のいずれか一項に記載の情報処理装置。
【請求項９】
前記判定手段は、前記第一の取得手段により取得された情報に含まれる情報に基づいて判定することを特徴とする請求項８に記載の情報処理装置。
【請求項１０】
医用画像の撮影を含む検査の情報を管理する管理装置からの撮影要求及び、前記第一の取得手段により取得された前記再撮影要求または前記追加撮影要求に基づいて医用画像を取得する画像取得手段と、
前記画像取得手段により取得された医用画像を、前記付帯手段により付帯された情報とともに外部装置に出力する出力手段と、
をさらに有することを特徴とする請求項１乃至請求項９のいずれか一項に記載の情報処理装置。
【請求項１１】
撮影された第一の医用画像の再撮影として第二の医用画像の撮影を要求する情報である再撮影要求、または、追加として第三の医用画像の撮影を要求する情報である追加撮影要求を取得する第一の取得手段と、
前記第一の取得手段により前記再撮影要求が取得された場合には、前記第二の医用画像を識別するための情報として、前記再撮影要求のあった前記第一の医用画像を識別するための情報を前記第二の医用画像に付帯させ、
前記第一の取得手段により前記追加撮影要求が取得された場合には、前記第三の医用画像を識別するための情報を、前記第三の医用画像に付帯させる付帯手段と、
医用画像の撮影を含む検査の情報を管理する管理装置に対して、前記検査に含まれる撮影が全て完了したことを示す完了通知が、前記取得された前記再撮影要求または前記追加撮影要求のあった検査に関して出力されたか否かを取得する第二の取得手段と、を有し、
前記付帯手段は、前記取得された前記再撮影要求または前記追加撮影要求のあった検査に関して前記管理装置に前記完了通知が出力されている場合には、前記第二の医用画像または前記第三の医用画像の撮影を含む検査を識別するための情報として、前記完了通知が出力された検査とは区別して識別するための情報を、前記第二の医用画像または前記第三の医用画像に付帯させ、
前記取得された前記再撮影要求または前記追加撮影要求のあった検査に関して前記管理装置に前記完了通知が出力されていない場合には、前記第二の医用画像または前記第三の医用画像の撮影を含む検査を識別するための情報として、前記再撮影要求または前記追加撮影要求のあった検査を識別するための情報を、前記第二の医用画像または前記第三の医用画像に付帯させることを特徴とする情報処理システム。
【請求項１２】
１以上のプロセッサとメモリとを備えるコンピュータによって実行される情報方処理方法であって、
撮影された第一の医用画像の再撮影として第二の医用画像の撮影を要求する情報である再撮影要求、または、追加として第三の医用画像の撮影を要求する情報である追加撮影要求を取得する第一の取得ステップと、
前記第一の取得ステップにおいて前記再撮影要求が取得された場合には、前記第二の医用画像を識別するための情報として、前記再撮影要求のあった前記第一の医用画像を識別するための情報を前記第二の医用画像に付帯させ、
前記第一の取得ステップにおいて前記追加撮影要求が取得された場合には、前記第三の医用画像を識別するための情報を、前記第三の医用画像に付帯させる付帯ステップと、
医用画像の撮影を含む検査の情報を管理する管理装置に対して、前記検査に含まれる撮影が全て完了したことを示す完了通知が、前記取得された前記再撮影要求または前記追加撮影要求のあった検査に関して出力されたか否かを取得する第二の取得ステップと、を有し、
前記付帯ステップにおいて、前記取得された前記再撮影要求または前記追加撮影要求のあった検査に関して前記管理装置に前記完了通知が出力されている場合には、前記第二の医用画像または前記第三の医用画像の撮影を含む検査を識別するための情報として、前記完了通知が出力された検査とは区別して識別するための情報を、前記第二の医用画像または前記第三の医用画像に付帯させ、
前記取得された前記再撮影要求または前記追加撮影要求のあった検査に関して前記管理装置に前記完了通知が出力されていない場合には、前記第二の医用画像または前記第三の医用画像の撮影を含む検査を識別するための情報として、前記再撮影要求または前記追加撮影要求のあった検査を識別するための情報を、前記第二の医用画像または前記第三の医用画像に付帯させることを特徴とする情報処理方法。
【請求項１３】
請求項１２に記載の情報処理方法をコンピュータに実行させるためのプログラム。
【発明の詳細な説明】
【技術分野】
【０００１】
本発明は、情報処理装置、情報処理システム、情報処理方法及びプログラムに関する。
【背景技術】
【０００２】
多様な医用画像が診療に活用されており、医用画像を管理し、利用するための情報システムが構築されている。ユーザはこのような情報システムを活用し、たとえば撮影された医用画像に対して、撮影に失敗していることを理由に再撮影や追加撮影を求めることがある。特許文献１には、再撮影が必要になった画像に関して、画像処理装置から撮影オーダーを管理する装置であるＲＩＳ（放射線情報システム）に再撮影を要求し、ＲＩＳにおいて再撮影オーダーを追加することが開示されている。
【先行技術文献】
【特許文献】
【０００３】
【特許文献１】特開２０１１−２１２２２４号公報
【発明の概要】
【発明が解決しようとする課題】
【０００４】
再撮影や追加撮影の指示を、撮影オーダーを管理する装置であるＲＩＳを介して行うと、新規に行われる検査であるのか、再撮影や追加撮影として行われる既に開始された検査であるのかが混同されてしまい、撮影された医用画像に対して適切な付帯情報を付帯できないおそれがある。
【課題を解決するための手段】
【０００５】
本発明の実施形態の一つにかかる情報処理装置は、撮影された第一の医用画像の再撮影として第二の医用画像の撮影を要求する情報である再撮影要求、または、追加として第三の医用画像の撮影を要求する情報である追加撮影要求を取得する第一の取得手段と、前記再撮影要求に基づいて撮影された前記第二の医用画像を識別するための情報として、前記再撮影要求のあった前記第一の医用画像を識別するための情報を前記第二の医用画像に付帯させ、前記追加撮影要求に基づいて撮影された前記第三の医用画像を識別するための情報を、前記第三の医用画像に付帯させる付帯手段と、医用画像の撮影を含む検査の情報を管理する管理装置に対して、前記検査に含まれる撮影が全て完了したことを示す完了通知が、前記取得された前記再撮影要求または前記追加撮影要求のあった検査に関して出力されたか否かを取得する第二の取得手段と、を有し、前記付帯手段は、前記取得された前記再撮影要求または前記追加撮影要求のあった検査に関して前記管理装置に前記完了通知が出力されている場合には、前記第二の医用画像または前記第三の医用画像の撮影を含む検査を識別するための情報として、前記完了通知が出力された検査とは区別して識別するための情報を、前記第二の医用画像または前記第三の医用画像に付帯させ、前記取得された前記再撮影要求または前記追加撮影要求のあった検査に関して前記管理装置に前記完了通知が出力されていない場合には、前記第二の医用画像または前記第三の医用画像の撮影を含む検査を識別するための情報として、前記再撮影要求または前記追加撮影要求のあった検査を識別するための情報を、前記第二の医用画像または前記第三の医用画像に付帯させることを特徴とする。
【発明の効果】
【０００６】
本発明の実施形態の一つによれば、外部装置からの再撮影や追加撮影の要求に基づいて撮影された医用画像に対して、適切な情報を付帯させることができる。これにより、再撮影や追加撮影で撮影された医用画像を利用するユーザのワークフローを向上させることができる。
【図面の簡単な説明】
【０００７】
【図１】第一の実施形態にかかる情報処理装置を含む情報システムの一例を示す図である。
【図２】第一の実施形態にかかる情報処理装置のハードウェア構成の一例を示す図である。
【図３】第一の実施形態にかかる情報処理装置の機能構成の一例を示す図である。
【図４】第一の実施形態にかかる情報処理装置によるＧＵＩの一例を示す図である。
【図５】第一の実施形態にかかる情報処理装置と接続している外部装置によるＧＵＩの一例を示す図である。
【図６】第一の実施形態にかかる情報処理装置による処理の一例を示すフローチャートである。
【図７】第一の実施形態にかかる情報処理装置による処理の一例を示すフローチャートである。
【図８】第二の実施形態にかかる情報処理装置による処理の一例を示すフローチャートである。
【図９】第三の実施形態にかかる情報処理装置による処理の一例を示すフローチャートである。
【発明を実施するための形態】
【０００８】
以下、図面を参照して本発明の実施形態を説明する。
【０００９】
［第一の実施形態］
医師が患者の病状を確認したり、診断を行ったりするために医用画像が活用されている。医用画像を取得するために、医用画像撮影装置（以下、モダリティと称する。）が用いられている。モダリティにはたとえば、ＭＲＩ（ｍａｇｎｅｔｉｃ  ｒｅｓｏｎａｎｃｅ  ｉｍａｇｉｎｇ）装置、Ｘ線ＣＴ（ｃｏｍｐｕｔｅｄ  ｔｏｍｏｇｒａｐｈｙ）装置、超音波撮影装置、光音響トモグラフィ（ＰＡＴ：ｐｈｏｔｏａｃｏｕｓｔｉｃ  ｔｏｍｏｇｒａｐｈｙ）装置、ＰＥＴ（ｐｏｓｉｔｒｏｎ  ｅｍｉｓｓｉｏｎ  ｔｏｍｏｇｒａｐｈｙ）／ＳＰＥＣＴ（ｓｉｎｇｌｅ  ｐｈｏｔｏｎ  ｅｍｉｓｓｉｏｎ  ｃｏｍｐｕｔｅｄ  ｔｏｍｏｇｒａｐｈｙ）、ＯＣＴ（ｏｐｔｉｃ  ｃｏｈｅｒｅｎｃｅ  ｔｏｍｏｇｒａｐｈｙ）装置、Ｘ線撮影装置（ＤＲ：ｄｉｇｉｔａｌ  ｒａｄｉｏｇｒａｐｈｙ）といった装置が挙げられる。これらのモダリティによって取得される医用画像には、形態的な特徴を描出する医用画像や、たとえば脳の血流量のように機能的な値を描出する医用画像まで種々の画像が存在する。医師は、患者の病状に合わせて適切なモダリティを選択し、医用画像を取得している。
【００１０】
これらのモダリティを用いた検査の運用のために、病院内の情報システムとネットワークを介して情報通信が行われている。病院内の情報システムには、例えば患者名や患者ＩＤ等の患者情報や検査を行う日時や撮影の内容等を含んだ検査要求情報等の情報を管理する病院情報システム（ＨＩＳ：Ｈｏｓｐｉｔａｌ  Ｉｎｆｏｒｍａｔｉｏｎ  Ｓｙｓｔｅｍ）が含まれる。また当該情報システムには、特に放射線科における患者情報や検査要求情報等の情報を管理する放射線科情報管理システム（ＲＩＳ：Ｒａｄｉｏｌｏｇｙ  Ｉｎｆｏｒｍａｔｉｏｎ  Ｓｙｓｔｅｍ）が含まれる。
【００１１】
さらに、取得した医用画像を保存したり表示したりして診断に利用するためのシステムとして、ＰＡＣＳ（Ｐｉｃｔｕｒｅ  ａｒｃｈｉｖｉｎｇ  ａｎｄ  ｃｏｍｍｕｎｉｃａｔｉｏｎ  ｓｙｓｔｅｍ）がある。取得した医用画像をそのままＰＡＣＳに転送するのではなく、医師が読影するのに十分な品質を保っているか否かを検像装置で技師が確認した後に、ＰＡＣＳに転送される場合もある。
【００１２】
これらの病院内の情報システムにおいて各装置とモダリティとがネットワークを介して情報通信するための標準規格としてＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）用いられている。
【００１３】
病院内の情報システムでは、種々な情報がやりとりされている。再撮影や追加撮影を行いたい場合に、撮影技師への連絡に時間を要してしまうと、検像技師や医師の手間となる。情報システムにおける各装置間で、速やかに再撮影や追加撮影の指示が行えることが望ましい。そして、再撮影や追加撮影において、病院内の情報システムで利用される情報の整合性が保たれるようにすることが望ましい。第一の実施形態にかかる情報処理装置は、このような課題を解決することを目的とする。
【００１４】
図１は、モダリティ１００と、ネットワーク１７０を介して通信可能に接続されている各装置からなる、病院内の情報システムの一例を示す図である。図１に示すように、モダリティ１００は、ネットワーク１７０を介して、ＨＩＳ１１１、ＲＩＳ１１２、検像装置１３０、ＰＡＣＳ１５０と接続されている。病院内の情報システムに接続されるモダリティは、図１に示すように複数であってもよいし、一つであってもよい。モダリティ１００、１０１、１０２は、一種類のモダリティで構成されても、異なる種類のモダリティで構成されてもよい。
【００１５】
モダリティ１００、１０１、１０２は、たとえばＭＲＩ装置、Ｘ線ＣＴ装置、超音波撮影装置、ＰＡＴ装置、ＰＥＴ／ＳＰＥＣＴ装置、ＯＣＴ装置、ＤＲ装置である。第一の実施形態においては、モダリティ１００がＤＲ装置である場合を例に説明する。第一の実施形態にかかる情報処理装置は、モダリティ１００における撮影を制御するための撮影制御装置１０である。モダリティ１００の撮影制御装置１０については、後に詳述する。
【００１６】
モダリティ１００、１０１，１０２は、撮影技師により設定された検索条件に基づいて、ＲＩＳ１１２から当該検索条件に応じた検査要求情報を取得する。モダリティ１００、１０１、１０２は、取得した検査要求情報を解析する。次に、撮影技師は実施する検査を選択する。モダリティ１００，１０１、１０２は、取得した検査要求情報から、撮影技師による実施の指示があった検査に関して、ＲＩＳ１１２に対して当該検査の開始を通知する。次に、モダリティ１００、１０１、１０２は、撮影技師による撮影指示に応じてＸ線を曝射して、医用画像を取得する。この処理は、検査の内容に応じて繰り返し行う。検査に含まれる撮影がすべて完了すると、撮影技師は検査を終了する指示を行う。モダリティ１００、１０１、１０２は、検査完了通知を作成し、ＲＩＳ１１２に検査完了通知を出力する。また、モダリティ１００、１０１、１０２は、撮影された医用画像を検像装置１３０へ出力する。検像技師は、検像装置１３０上で検査画像を確認し、医師が読影できる画質であるかどうか確認する。
【００１７】
ＨＩＳ１１１は、患者情報を登録し、検査要求情報を作成する。ＨＩＳ１１１は作成した検査要求情報をＲＩＳ１１２に送信する。ＨＩＳ１１１は、ＲＩＳ１１２を介して、モダリティ１００、１０１、１０２から検査開始通知と検査完了通知を受信する。ＨＩＳ１１１は検査完了通知を受信すると、検査完了通知に付加された検査終了情報を用いて、病院内の会計システムにおいて会計処理が行えるように制御する。
【００１８】
ＲＩＳ１１２は、ＨＩＳ１１１から受信した検査要求情報に、検査部位など検査に必要な情報を付加してモダリティ１００、１０１、１０２のうち当該検査要求情報に対応するモダリティに送信する。また、ＲＩＳ１１２は、たとえばモダリティ１００から検査開始通知及び検査完了通知を受信し、受信し検査開始通知及び検査完了通知をＨＩＳ１１１に送信する。ＲＩＳ１１２は、モダリティ１００等に要求した各検査の実施状況を把握することができる。ＲＩＳ１１２は検査の情報を管理する管理装置の一例である。
【００１９】
検像装置１３０は、モダリティ１００から送信される画像データを保存する画像サーバ（不図示）を有する。また検像装置１３０は、当該画像サーバから画像を取得して表示するモニタ（不図示）、及び画像処理を行ったり画像をモニタに表示させたりする画像ビューワのアプリケーションが動作する制御装置（不図示）を有する。検像装置１３０は、受信した画像データを制御装置に保存したり、検像装置１３０の外部の記録媒体に保存したりしてもよい。また、検像装置１３０は、モダリティ１００から送信される画像データを受信して表示する画像表示用の医用画像ビューワとしても機能する。
【００２０】
検像技師は、検像装置１３０を使って、検査で取得された画像データを確認する。検像技師は、たとえば医用画像の濃度、コントラスト、アノテーションの位置や内容、ＤＩＣＯＭタグの内容や各種画像処理が適切であるか、といった点を確認する。検像技師は、必要に応じて当該画像データに対する修正を行う。また検像技師は、画像データにおける患者のポジショニングが正しいか、線量が適切か、撮影条件は適切か、病変を特定するための新たな撮影が必要かどうかを確認する。検像技師は、患者のポジショニングや線量が適切でない場合は、再撮影をモダリティ１００へ依頼する。検像技師は、新たな撮影が必要と判断した場合は追加の撮影をモダリティ１００へ依頼する。検像の結果、検像技師が依頼した再撮影や追加撮影が完了すると、モダリティ１００は撮影した画像データを検像装置１３０へ送信する。検像技師は、再撮影及び追加撮影において取得された画像データを検像装置１３０で確認して、これらの画像データが適切であると判断した場合には検査完了の操作を行う。そして、検像技師は画像データをＰＡＣＳ１５０へ転送する。
【００２１】
ＰＡＣＳ１５０は、検像装置１３０から受信した画像データを保存する。ＰＡＣＳ１５０は、画像データを表示するためのモニタ（不図示）と、ＰＡＣＳ１５０を管理するための制御装置（不図示）とを有する。医師は、ＰＡＣＳ１５０や、ネットワーク１７０を介してＰＡＣＳ１５０と接続されている装置を用いて、画像データに対する読影を行う。読影とは、画像データを観察することにより、患者の診療のための情報を得ることである。検像技師が事前に、画像データのアノテーションの位置や内容、ＤＩＣＯＭタグの内容、患者の部位のポジショニング、画像処理を適切に調整しているので、医師は効率良く読影を行うことができる。
【００２２】
ネットワーク１７０は、たとえばイーサネット（登録商標）である。
【００２３】
次に、第一の実施形態において、図１に例示する情報システムの装置間で送受信される、患者情報、検査要求情報、検査実施情報及び検査終了情報について説明する。なお、第一の実施形態では、これら４種類の情報をまとめて検査情報と称する場合がある。
【００２４】
患者情報とは、モダリティ１００が実施する検査の被検者となる患者に関する情報である。患者情報には被検者を一意に識別するためのユニークなＩＤである患者ＩＤ、患者氏名、性別、生年月日、年齢といった情報が含まれる。患者情報の入力及び保存は、主にＨＩＳ１１１を用いて行われる。ただし、ＲＩＳ１１２及びモダリティ１００においても患者情報の入力、修正及び保存を行うことができる。なお、患者情報をネットワークに接続したサーバといった情報記憶装置に保存することで、各装置で入力された患者情報の整合性を確保して共有することができる。
【００２５】
検査要求情報とは、検査の日時や、検査を行うモダリティや、検査を行う技師や、検査に含まれる撮影の撮影手技といった、具体的な検査の実施に関する情報である。検査要求情報には、主に検査を一意に識別するためのユニークなＩＤである検査ＩＤ、検査実施予定日時、検査実施予定装置及び検査で実施する具体的な撮影手技の情報が含まれる。また、検査を実施する撮影技師の氏名、検査を依頼した部門、医師の氏名及び上述した患者情報が含まれる。なお、ＨＩＳ１１１、ＲＩＳ１１２、モダリティ１００がＤＩＣＯＭ規格に準拠している場合、この検査要求情報には、ＤＩＣＯＭ規格のＭＯＤＡＬＩＴＹ  ＷＯＲＫ  ＬＩＳＴ  ＳＯＰクラス（以下、ＭＷＬと称する。）で規定されているタグ情報が含まれる。検査要求情報の入力及び保存は、主にＨＩＳ１１１において行われる。ただし、ＲＩＳ１１２、モダリティ１００であっても検査要求情報の入力、修正及び保存を行うことができる。この場合、何れかのタイミングでＨＩＳ１１１に検査要求情報が通知される。なお、検査要求情報をネットワークに接続したサーバ等の情報記憶装置に保存することで、各装置で検査要求情報を共有することが可能である。
【００２６】
検査実施情報とは、終了した検査で行われた具体的な撮影に関する情報である。検査実施情報には、実施した撮影手技、撮影枚数、検査実施にかかった所要時間、検査中の撮影追加の有無、検査を実施した撮影技師の氏名及び検査中に患者が受けた照射線量といった情報が含まれる。ここで、実施した撮影手技の情報には、撮影手技の名称、各撮影手技における撮影部位（左右の別を含む。）、撮影方向、患者の姿勢体位、各撮影手技の撮影方法といった情報が含まれる。各撮影手技の撮影方法とは、たとえば静止画撮影、動画撮影、血管造影撮影が挙げられる。検査実施情報は、検査を実施したモダリティにおいて作成される。
【００２７】
検査終了情報とは、撮影技師がモダリティ１００で選択した検査要求情報に対して、実際に実施した内容を示す情報である。検査終了情報には、主に検査を一意に識別するためのユニークなＩＤである検査ＩＤ、検査実施日時、検査を実施したモダリティ及び検査を実施した撮影技師の氏名といった情報が含まれる。検査終了情報には、上述した患者情報や検査実施情報が含まれる。なお、ＨＩＳ１１１、ＲＩＳ１１２、モダリティ１００がＤＩＣＯＭ規格に準拠している場合、この検査終了情報には、ＤＩＣＯＭ規格のＭＯＤＡＬＩＴＹ  ＰＥＲＦＯＲＭＥＤ  ＰＲＯＣＥＤＵＲＥ  ＳＴＥＰ  ＳＯＰクラス（以下、ＰＰＳという）において規定されているタグ情報が含まれる。検査終了情報は、モダリティ１００において撮影技師が依頼された検査をすべて終えた時点、あるいは検査の終了後に検査終了情報の送信指示がなされた時点で作成する。その後、モダリティ１００は、検査終了情報を含む検査完了通知をＲＩＳ１１２に送信する。その後、ＲＩＳ１１２は、検査終了情報をＨＩＳ１１１に送信し、当該検査終了情報は会計処理といった検査終了後のワークフローで利用される。
【００２８】
図２は、第一の実施形態にかかる情報処理装置のハードウェア構成の一例を示す図である。第一の実施形態にかかる情報処理装置は、モダリティ１００の撮影制御装置１０である。モダリティ１００は、撮影制御装置１０、表示部１１、入力部１２、センサ部１３、Ｘ線発生部１４を有する。
【００２９】
撮影制御装置１０は、ＲＡＭ１５、ＲＯＭ１６、ＬＡＮ／ＩＦ１７、ＣＰＵ１８、内部記憶装置１９を有し、これらはシステムバス２０によって互いに接続されている。撮影制御装置１０は、たとえばコンピュータである。ＲＡＭ１５やＲＯＭ１６や内部記憶装置１９はメモリの一例であり、ＣＰＵ１８はプロセッサの一例である。撮影制御装置１０は複数のＣＰＵを有していても良い。
【００３０】
撮影制御装置１０には、表示部１１と入力部１２が接続されている。表示部１１は、たとえば液晶ディスプレイである。表示部１１には、画像データやＧＵＩが表示される。また、入力部１２は、たとえばマウス、キーボード、バーコードリーダーといった入力装置である。撮影技師は、入力部１２を用いて、撮影制御装置１０に対して各種のコマンドやデータを入力することができる。表示部１１と入力部１２は、たとえばタッチパネルモニタに統合されていても良い。
【００３１】
センサ部１３は撮影制御装置１０による制御に基づいて、Ｘ線発生部１４から照射されたＸ線を受光して被検者である患者の画像データを生成する。画像データは撮影制御装置１０に送信される。Ｘ線発生部１４は撮影制御装置１０による制御に基づいて、Ｘ線を被検者に対して照射する。
【００３２】
図３は、撮影制御装置１０の機能構成の一例を示す図である。図３において、第一の実施形態にかかる撮影制御装置１０の機能を説明するために、撮影制御装置１０の他にＲＩＳ１１２と検像装置１３０の構成も併せて示す。後述する撮影制御装置１０の各機能は、ＣＰＵ１８がＲＯＭ１６や内部記憶装置１９に格納されたプログラムを実行することにより実現される。
【００３３】
ＲＩＳ送受信部３０１は、ＲＩＳ１１２と通信を行う。ＲＩＳ送受信部３０１は、ＲＩＳから検査要求情報を受信する。また、ＲＩＳ送受信部３０１は、ＲＩＳ１１２に対して検査終了情報を送信する。
【００３４】
検査制御部３０２は、検査の進行状態に応じて表示部１１にＧＵＩを表示させる。検査制御部３０２は、当該ＧＵＩに対する操作入力を入力部１２より取得して、指示された各種の機能を実行できるように制御する。また、検査制御部３０２は、撮影された画像データに画像処理を施し、検査要求情報に基づいて当該画像データに付帯情報を付帯させる。すなわち、検査制御部３０２は付帯手段の一例である。付帯情報とは、たとえば医用画像を一意に識別するための画像ＩＤや、検査を一意に識別するための検査ＩＤや、ＤＩＣＯＭ規格に定められた各種の情報である。検査制御部３０２は、画像データを付帯情報とともに記憶部３０４へ格納する。さらに検査制御部３０２は、後述する依頼受信部３０６が受信した検査要求情報に基づいて、再撮影の依頼であるか、追加撮影の依頼であるかを判定する。すなわち、検査制御部３０２は判定手段の一例である。そして、検査制御部３０２は、再撮影や追加撮影を行うための検査情報を生成する。すなわち、検査制御部３０２は生成手段の一例である。検査制御部３０２は、生成手段としての機能と付帯手段としての機能と判定手段としての機能とを、複数のモジュールにより実現してもよい。
【００３５】
撮影実施部３０３は、検査制御部３０２からの制御に従って、ＲＩＳ１１２から受信した検査要求情報に対応する撮影を実施する。撮影実施部３０３は、センサ部１３とＸ線発生部１４とを制御し、撮影を実施する。撮影実施部３０３は、センサ部１３から画像データを取得する。すなわち、撮影実施部３０３は画像取得手段の一例である。
【００３６】
記憶部３０４は、モダリティ１００で行われた検査の情報や、撮影された画像データ及び付帯情報を記憶する。
【００３７】
画像送信部３０５は、モダリティ１００で撮影された画像データを、ネットワーク１７０を介して外部装置に送信する。ここで、外部装置とはたとえば検像装置１３０やＰＡＣＳ１５０である。すなわち、画像送信部３０５は、出力手段の一例である。
【００３８】
依頼受信部３０６は、外部装置からの再撮影や追加撮影の検査要求を受信する。外部装置とは、たとえば検像装置１３０やＰＡＣＳ１５０である。すなわち、依頼受信部３０６は第一の取得手段の一例である。
【００３９】
付帯情報取得部３０７は、外部装置から付帯情報を取得する。たとえば、付帯情報取得部３０７は検像装置１３０に対して、画像データや検査についての付帯情報を送信するように要求する。そして、付帯情報取得部３０７は、要求に応じて外部装置から送信される付帯情報を受信する。ここで、付帯情報とはたとえば画像データを一意に識別するための画像ＩＤや、検査を一意に識別するための検査ＩＤである。付帯情報取得部３０７が付帯情報の送信を要求する外部装置は、たとえば検像装置１３０、ＰＡＣＳ１５０，ＲＩＳ１１２である。付帯情報取得部３０７は、当該要求において、取得する付帯情報を外部装置において検索するための情報とあわせて送信する。
【００４０】
ここで、図３に示した撮影制御装置１０の機能をＸ線画像の撮影フローに沿って詳しく説明する。
【００４１】
ＲＩＳ送受信部３０１がＲＩＳ１１２から受信した検査要求情報は、検査制御部３０２により記憶部３０４に送信され、記憶部３０４に記憶される。検査制御部３０２は表示部１１に、ＲＩＳ１１２から受信した複数の検査要求情報を表示させる。複数の検査要求情報の表示の方法としては、たとえばＲＩＳ１１２から受信した検査要求のうち、完了していない検査の一覧をリストにして表示させる。撮影技師すなわち撮影技師は入力部１２を用いて、検査を実施する検査要求情報をリストから選択して、検査を開始する。上述したように検査要求情報には、検査で実施する具体的な撮影手技の情報が含まれる。撮影手技は、撮影プロトコルを選択することにより確定する。撮影プロトコルは、撮影手技ごとの撮影条件や画像処理パラメータ等のデフォルト値として、記憶部３０４に保持されている。撮影技師は入力部１２を用いてデフォルト値を変更して撮影を行うことが可能である。撮影技師により入力された情報は、検査制御部３０２を介して撮影実施部３０３に送信される。
【００４２】
撮影技師は、表示部１１に表示されているリストから検査要求情報を選択し、表示部１１に表示されているＧＵＩである検査開始ボタンを押下すると、当該検査要求情報に含まれる撮影のうち、１番目の撮影プロトコルが選択された状態となる。撮影実施部３０３はＸ線発生部１４を制御し、１番目の撮影プロトコルに定められた撮影条件でＸ線を照射できる状態にする。Ｘ線発生部１４に関する撮影条件には、たとえば管電流、管電圧、照射時間、患者と管球間の距離といった情報が含まれる。また撮影技師は、被検者の整位を行い、Ｘ線発生部１４の管球の絞りを調整する。撮影技師は、実施する撮影手技においてグリッドの装着が求められる場合には、センサ部１３のグリッドの装着を確認する。全ての準備が整うと、撮影技師はＸ線発生部１４のＸ線照射スイッチ（不図示）を押下してＸ線を照射させ、被検者のＸ線画像データを取得する。
【００４３】
画像データの取得が完了すると撮影実施部３０３は、検査制御部３０２に対して１番目の撮影プロトコルによる撮影が完了したことを通知する。検査制御部３０２は、取得された画像データを補正し、撮影プロトコルに規定された画像処理パラメータによる画像処理を行う。検査制御部３０２は表示部１１に画像データを表示させ、画像データを記憶部３０４へ記憶させる。検査制御部３０２は、画像データに対して、画像を一意に識別するためのユニークなＩＤである画像ＩＤや、実施された撮影手技に対応する撮影プロトコルを一意に識別するためのプロトコルＩＤなどを付帯させる。
【００４４】
１番目の撮影プロトコルの撮影が完了すると、検査制御部３０２により、２番目の撮影プロトコルが選択された状態に遷移する。２番目の撮影プロトコルについても、１番目と同様に撮影が行われる。このようにして撮影技師は、依頼された全ての撮影を実施する。全ての撮影が完了すると、表示部１１に表示されているＧＵＩである検査終了ボタン４１３を押下して、検査を終了する。
【００４５】
検査制御部３０２は、検査終了ボタン４１３に対する操作入力を検知して、取得した画像データを画像送信部３０５に送信する。画像送信部３０５は外部装置に当該画像データを送信する。第一の実施形態においては、外部装置の一例である検像装置１３０に送信し、検像技師による検像に供することとする。画像送信部３０５は画像データを送信する対象となる装置を撮影技師に選択させるためのＧＵＩを表示部１１に表示させ、操作入力に従って送信してもよい。
【００４６】
検査を終了する際に、検査制御部３０２は検査終了情報を作成し、ＲＩＳ送受信部３０１よりＲＩＳ１１２に対して検査完了通知を送信する。
【００４７】
検像装置１３０はその機能構成として、たとえば付帯情報管理部１３１、画像受信部１３２、検像部１３３、撮影依頼部１３４を有する。
【００４８】
付帯情報管理部１３１は、たとえばモダリティ１００の撮影制御装置１０から要求された付帯情報を検索し、該当する付帯情報を記憶している場合に、撮影制御装置１０に対して当該要求に応じた付帯情報を送信する。
【００４９】
画像受信部１３２は、外部装置から画像データを受信する。検像装置１３０が画像データを受信する外部装置とは、たとえばモダリティ１００やＰＡＣＳ１５０である。画像受信部１３２が受信した画像データは、検像装置１３０が備えるモニタに表示され、検像技師による検像に供される。
【００５０】
検像部１３３は、検像技師の操作入力に応じて、検像を確定する。たとえば検像装置１３０のモニタに表示されるＧＵＩである画像確定ボタン５１１を検像技師が押下することに伴い、画像データの検像を確定する。検像技師は検像装置１３０を用いて可能な修正を必要に応じて行い、画像データが診療に適した画像であると判断した場合に、当該画像データの検像を確定する。
【００５１】
撮影依頼部１３４はモダリティに対して、検像を行った画像に関する再撮影や追加撮影を依頼する。撮影依頼部１３４は、検像装置１３０のモニタに表示されるＧＵＩである再撮影ボタン４１２や追加撮影依頼ボタン５１３に対する操作入力に応じて、再撮影や追加撮影を依頼する情報をモダリティに送信する。再撮影を依頼する情報を、以下では再撮影要求と称する。また、追加撮影を依頼する情報を、以下では追加撮影要求と称する。再撮影要求や追加撮影要求を依頼する対象となるモダリティは、検像を行った画像を撮影したモダリティ若しくは依頼する撮影を実施可能なその他のモダリティである。
【００５２】
ここで、図３に示した撮影制御装置１０の機能と検像装置１３０の機能とを、Ｘ線画像の検像及び再撮影や追加撮影を依頼するフローに沿って詳しく説明する。
【００５３】
モダリティ１００の表示部１１に表示されるＧＵＩである検査終了ボタン４１３が撮影技師により押下されると、画像送信部３０５は画像データを検像装置１３０に送信する。検像装置１３０は画像受信部１３２により当該画像データを受信し、検像装置１３０の記憶媒体（不図示）に記憶させる。検像部１３３は、画像受信部１３２により受信された画像データを検像装置１３０のモニタに表示させ、検像技師が検像を行えるようにする。検像技師は、患者のポジショニング、および線量が適切でなく再撮影が必要であると判断する場合や、追加の撮影が必要であると判断する場合がある。このような場合、検像技師は、検像装置１３０のモニタに表示されるＧＵＩである再撮影ボタン４１２または追加撮影依頼ボタン５１３を押下する。撮影依頼部１３４はこれらのＧＵＩに対する操作入力に応じて、検像が行われた画像データを撮影したモダリティ１００に対して、再撮影要求または追加撮影要求を送信する。ここで、再撮影要求には、検査ＩＤと再撮影する撮影画像を識別する画像ＩＤが含まれる。また、追加撮影要求には、追加する撮影の撮影手技を特定するための撮影プロトコルを識別するプロトコルＩＤが含まれる。
【００５４】
モダリティ１００は、検像装置１３０からの依頼すなわち再撮影要求または追加撮影要求を依頼受信部３０６で受信する。依頼受信部３０６は、受信した依頼の情報を検査制御部３０２に送信する。検査制御部３０２は、受信した依頼の情報に基づいて、当該依頼に応じた検査情報を生成する。たとえば、検査制御部３０２は、受信した再撮影要求に含まれる画像ＩＤに基づいて、記憶部３０４に記憶されている検査情報を抽出し、当該画像ＩＤの撮影と同様の撮影手技を含む検査情報を生成する。あるいは、検査制御部３０２は、受信した追加撮影要求に含まれる検査ＩＤに基づいて、記憶部３０４に記憶されている検査情報を抽出する。そして、検査制御部３０２は、受信した当該依頼の情報に含まれるプロトコルＩＤに基づいて、依頼された追加撮影を含む検査情報を生成する。
【００５５】
撮影技師は再撮影または追加撮影に含まれる全ての撮影が終了すると、検査終了ボタン４１３を押下する。検査制御部３０２は画像送信部３０５より、再撮影または追加撮影で取得された画像データを検像装置１３０へ送信する。以下では、再撮影要求に基づいて撮影された画像データを、再撮影画像と称する。また、追加撮影要求に基づいて撮影された画像データを、追加撮影要求と称する。検査制御部３０２は、再撮影画像に対して、再撮影要求に含まれる画像ＩＤを付帯させる。検査制御部３０２は、追加撮影画像に対して、新規の画像ＩＤを発行し、付帯させる。新規の画像ＩＤとは、ＲＩＳ１１２から受信した検査要求に基づいて撮影された画像データや、再撮影や追加撮影の依頼に基づいて撮影された画像データを含む、他のいかなる画像データとも区別可能な画像ＩＤである。
【００５６】
さらに検査制御部３０２は、再撮影または追加撮影の対象となった検査についての、検査完了通知が完了しているか否かを判定する。検査完了通知が行われていない場合には、検査制御部３０２は依頼の情報に含まれる検査ＩＤを画像データに付帯させる。そして検査制御部３０２は、検査終了情報を作成しＲＩＳ送受信部３０１よりＲＩＳ１１２へ検査完了通知を送信する。通知が完了している場合には、検査制御部３０２は新規の検査ＩＤを発行して画像データに付帯させる。検査制御部３０２は新規の検査ＩＤに基づいて検査終了情報を作成し、ＲＩＳ送受信部３０１よりＲＩＳ１１２へ検査完了通知を送信する。新規の検査ＩＤに基づく検査終了情報や、新規の検査ＩＤを含む付帯情報の中に、関連する検査の情報として、再撮影や追加撮影の依頼の情報に含まれる検査ＩＤを含めてもよい。
【００５７】
図４は、検査に際して撮影制御装置１０の表示部１１に表示されるＧＵＩの一例である。ＧＵＩに対する操作入力は入力部１２により行われる。
【００５８】
患者情報領域４０１は、患者名、患者ＩＤ、患者の生年月日といった患者情報を表示する領域である。状態領域４０２は、センサ部１３及びＸ線発生部１４の状態を表示する領域である。センサ部１３とＸ線発生部１４がともに、撮影の準備が完了している場合には、撮影を実施可能であることを示す情報が状態領域４０２に表示される。センサ部１３とＸ線発生部１４のいずれかが撮影の準備が完了していない場合には、撮影を実施できないことを示す情報が状態領域４０２に表示される。メッセージ表示領域４０３は、撮影技師に対するメッセージを表示する領域である。たとえば、撮影技師に対して次に行うべき作業を促すメッセージを表示する。
【００５９】
撮影プロトコル領域４０４は、実施を予定している撮影における撮影プロトコルを依頼順に表示する領域である。図４に示す例では、胸部正面、胸部側面、ＫＵＢ正面の順に撮影プロトコルが表示されている。検査編集ボタン４０５は、検査情報を編集するためのボタンである。検査編集ボタン４０５に対する操作入力に伴って、たとえば、検査情報に含まれる撮影技師の氏名、依頼部門といった情報を編集したり、撮影プロトコルの順序を変更したりするための画面が表示される。
【００６０】
画像領域４０６は、撮影した画像を表示する領域である。撮影技師は撮影後に、画像領域４０６に表示される画像を見て、正しく撮影できたか否かを判断する。
【００６１】
画像処理タブ４０７は、画像処理を行う画面を操作ペイン４１０に表示させるためのタブである。画像処理には、たとえば画像データの濃度やコントラストの調整、強調処理や、拡大、縮小、回転といった幾何変更が含まれる。アノテーションタブ４０８は、アノテーションの位置やフォントの大きさや項目を変更する画面を操作ペイン４１０に表示させるためのタブである。アノテーションは、ＤＩＣＯＭ規格のＧＳＰＳ（Ｇｒａｙｓｃａｌｅ  Ｓｏｆｔｃｏｐｙ  Ｐｒｅｓｅｎｔａｔｉｏｎ  Ｓｔａｔｅ）に則って画像データにオーバレイして表示することが好ましい。ＤＩＣＯＭタブ４０９は、ＤＩＣＯＭタグの値を表示させ、修正を行う画面を操作ペイン４１０に表示させるためのタブである。撮影技師は、これらのタブにより表示される画面を介して、適宜修正を行う。
【００６２】
画像転送ボタン４１１は、検査終了ボタン４１３の押下を待たず、撮影された画像データを検像装置１３０やＰＡＣＳ１５０へ転送するためのボタンである。再撮影ボタン４１２は、再撮影を行うためのボタンである。たとえば、撮影時に被検者が動いて画像がぶれてしまった場合や、線量が足りず画質が悪い場合には、再撮影が行われる。検査終了ボタン４１３は検査を終了するためのボタンである。検査終了ボタン４１３に対する操作入力に伴って、当該検査において撮影された画像データは検像装置１３０やＰＡＣＳ１５０へ転送される。
【００６３】
図５は、検像装置１３０のモニタ（不図示）に表示されるＧＵＩの一例を示す図である。
【００６４】
検像リスト５０１はモダリティ１００といった外部のモダリティから受信した検査のリストであって、検像装置１３０で検像を実施する検査のリストである。検像リスト５０１には、患者や検査情報が表示されるとともに、それぞれの処理ステータスが表示される。図５に示す例においては、モダリティ１００より受信して検像が開始されていない検査の処理ステータスは、「ＱＡ待ち」と表示されている。画像領域５０６に画像データを表示し、検像作業を行っている検査の処理ステータスは、「ＱＡ中」と表示されている。「ＱＡ中」の処理ステータスの検査が存在しなければ、一番先頭の「ＱＡ待ち」が自動的に「ＱＡ中」に遷移するようにしてもよい。検像が完了し、画像データがＰＡＣＳ１５０に転送された検査の処理ステータスは、「ＰＡＣＳ転送済」と表示されている。検像技師は検像リスト５０１から任意の検査を選択して検像作業を行うことができる。検像リスト５０１に表示される検査のうち、検像が完了した検査については、最小化ボタン５０２により、非表示にしたり、再度表示させたりすることができる。
【００６５】
患者情報領域５０３は、患者情報を表示する領域である。患者情報には、たとえば患者名、患者ＩＤ、患者の生年月日が含まれる。メッセージ領域５０４は、検像技師に対するメッセージを表示する領域である。メッセージ領域５０４には、たとえば検像技師に次の作業を促すためのメッセージが表示される。
【００６６】
実施済プロトコル５０５は、実施済プロトコルを依頼順に表示する領域である。実施済プロトコルとは、検像を行う検査に含まれる撮影それぞれのプロトコルであって、モダリティで撮影が完了したプロトコルである。図５に示す例においては、胸部正面、胸部側面、ＫＵＢ正面の順で依頼されて、胸部正面のプロトコルが選択された状態である。画像領域５０６には、選択された実施済プロトコルにより撮影された画像データを表示する領域である。検像技師は、画像領域５０６に表示された画像を観察し、医師が診療に用いるための画質に達しているか否かを確認する。
【００６７】
画像処理タブ５０７は、画像処理を行う画面を操作ペイン５１０に表示させるためのタブである。画像処理には、濃度やコントラストの調整や、強調処理に加え、拡大、縮小、回転といった幾何変更が含まれる。アノテーションタブ５０８は、アノテーションの位置やフォントの大きさ、項目を変更する画面を操作ペイン５１０に表示させるためのタブである。ＤＩＣＯＭタブ５０９は、ＤＩＣＯＭタグの値を表示し、修正する画面を操作ペイン５１０に表示させるためのタブである。検像技師はこれらのタブにより表示される画面を介して、適宜修正を行う。
【００６８】
画像確定ボタン５１１は、検像を完了しＰＡＣＳ１５０に転送する画像データとして確定するためのボタンである。画像確定ボタン５１１が押下されると、実施済プロトコル５０５のうち、胸部側面のプロトコルが自動的に選択状態となり、胸部側面のプロトコルに基づいて撮影された画像データが画像領域５０６に表示される。再撮影依頼ボタン５１２は、モダリティに対して再撮影を依頼するためのボタンである。追加撮影依頼ボタン５１３は、モダリティに対して追加撮影を依頼するためのボタンである。
【００６９】
全画像確定ボタン５１４は、検査に含まれる全ての画像データの確認が完了し、全ての画像データをＰＡＣＳ１５０に転送する画像データとして確定するためのボタンである。また、検像アイコン５１５は、検像作業を行うことが必要な画像であることを示すものである。操作の信頼性を考えて、検像アイコン５１５が表示されている検査においては、全ての画像について検像が完了し、ＰＡＣＳ１５０に転送する画像データが確定されていないと、全画像確定ボタン５１４が有効化されないようにしてもよい。あるいは操作効率に鑑みて、全画像確定ボタン５１４を押下すると、全ての画像データについてＰＡＣＳ１５０に転送する画像として確定するようにしてもよい。
【００７０】
図６は、撮影制御装置１０が検査要求情報を受信してから検査を終了するまでの一連の処理の一例を示すフローチャートである。以下、詳述する。
【００７１】
ステップＳ６００において、ＲＩＳ送受信部３０１は、ＲＩＳ１１２に対して検査要求情報を送信するように要求する。この要求を行うタイミングは、主に撮影技師がモダリティ１００の表示部１１のＧＵＩである、検査取得ボタン（不図示）を押下したときである。別の例では、ＲＩＳ送受信部３０１は、一定時間毎に自動で要求を行ったり、撮影技師が予め定めたタイミングで要求を行ったりしてもよい。ＲＩＳ送受信部３０１は、ＲＩＳ１１２への要求に応じて、ＲＩＳ１１２から送信された検査要求情報を受信する。
【００７２】
なお、検査要求情報の送信を要求するとき、検査要求情報に含まれる項目に対してそれぞれ取得条件が設定される。ＲＩＳ送受信部３０１は、少なくとも一つの取得条件をＲＩＳ１１２に送信し、検査要求情報の送信を要求する。モダリティ１００から検査要求情報を送信するように要求されたＲＩＳ１１２は、保持している検査要求情報のうち、まだ開始されていない検査要求情報であって、取得条件と一致する検査要求情報を抽出し、モダリティ１００に送信する。取得条件が設定されていない場合には、ＲＩＳ１１２は、開始されていない検査要求情報を全てモダリティに送信する。
【００７３】
ステップＳ６０１において、ＲＩＳ送受信部３０１は、取得した検査要求情報を検査制御部３０２に送信する。検査制御部３０２は受信した検査要求情報をリスト化して表示部１１に表示させ、記憶部３０４に検査要求情報を保存する。撮影技師は、表示部１１に表示された検査要求情報のリストから、入力部１２を用いて開始する検査を選択する。撮影技師の操作入力に伴って、検査制御部３０２は実施する検査要求情報を選択する。
【００７４】
ステップＳ６０２において、検査制御部３０２は撮影実施部３０３を制御して検査を開始する。具体的には、ステップＳ６０１で選択された検査に対して、撮影技師により検査開始ボタン（不図示）が押下されたことに伴って、撮影実施部３０３に検査を開始させる。
【００７５】
ステップＳ６０３において、撮影実施部３０３は検査制御部３０２からの制御に応じて、撮影を実施する。撮影実施部３０３は、実施する検査に含まれる撮影プロトコルに基づいて撮影を実施する。このとき、検査制御部３０２は、ＲＩＳ送受信部３０１を制御して、ＲＩＳ１１２に検査開始通知を送信させる。これによりＲＩＳ送受信部３０１は、ＲＩＳ１１２に検査開始通知を送信する。
【００７６】
撮影実施部３０３はセンサ部１３とＸ線発生部１４を制御して、撮影の準備が整っているか否かを示す情報を取得する。センサ部１３とＸ線発生部１４がともに撮影の準備が完了している場合には、表示部１１のＧＵＩである状態領域４０２に反映する。撮影技師は状態領域４０２の表示により撮影準備が完了していることを確認し、Ｘ線発生部１４の照射スイッチを押下する。これにより、Ｘ線が照射され、被検者のＸ線画像データが取得される。
【００７７】
取得された画像データは、検査制御部３０２により補正処理や画像処理が施され、記憶部３０４に格納される。検査制御部３０２は、当該画像データに対して画像ＩＤを付帯させる。撮影技師は、画像領域４０６に表示された画像データを確認して、患者が動いてぶれていないか、撮影条件が適切であったかを確認する。撮影実施部３０３は、検査要求情報で要求されている全ての撮影プロトコルで撮影を実施する。
【００７８】
ステップＳ６０４において、検査制御部３０２は検査が終了したか否かを判定する。具体的には撮影技師が検査終了ボタン４１３を押下した場合に、検査が終了したと判定し、ステップＳ６０５に進む。また、撮影技師が再撮影ボタン４１２を押下した場合には、検査制御部３０２は再撮影のための検査情報を生成して、ステップＳ６０３に進む。
【００７９】
ステップＳ６０５において、検査制御部３０２は画像送信部３０５を介して外部装置に対して画像データを送信する。外部装置とは、たとえば検像装置１３０やＰＡＣＳ１５０である。第一の実施形態においては、検像装置１３０において検像がなされた画像を、検像装置１３０からＰＡＣＳ１５０に対して送信することとする。
【００８０】
ステップＳ６０６において、検査制御部３０２は記憶部３０４に記憶された検査要求情報や、撮影実施部３０３により実施された撮影手技の情報に基づいて、検査終了情報を作成する。検査終了情報には、患者情報や検査ＩＤ、検査実施日時、検査を実施したモダリティ及び検査を実施した撮影技師の氏名や撮影条件などの検査実施情報が含まれる。
【００８１】
ステップＳ６０７において、ＲＩＳ送受信部３０１は検査終了情報をＲＩＳ１１２へ送信する。
【００８２】
図６に示した例では、ステップＳ６０６およびステップＳ６０７はステップＳ６０４で検査が終了したと判定された場合に行われる処理として説明した。本発明はこれに限らず、たとえば撮影技師が検査を終了する操作とは独立して、検査の終了を通知するための手段が設けられていてもよい。
【００８３】
図７は、外部装置から再撮影や追加撮影の依頼を受けた撮影制御装置１０により行われる処理の一例を示すフローチャートである。図６に示すステップＳ６０５において撮影制御装置１０は検像装置１３０に画像データを送信する。しかしながら、検像技師が図５に例示したようなＧＵＩを介して、当該画像データが診療に用いるのに不適切であると判断し、再撮影や追加撮影をモダリティに対して依頼する場合がある。撮影制御装置１０は、このような外部装置からの再撮影や追加撮影の依頼に基づいて、検査を実施する。以下、詳述する。
【００８４】
ステップＳ７００において、検査制御部３０２は検像装置１３０から依頼された再撮影や追加撮影に関する検査情報を記憶部３０４に記憶されている検査情報の中から抽出する。依頼受信部３０６は、検像装置１３０といった外部装置から、再撮影や追加撮影の依頼を受信する。依頼受信部３０６は受信した再撮影や追加撮影の依頼の情報を検査制御部３０２に送信する。検査制御部３０２は、当該依頼の情報に含まれる検査ＩＤを用いて、記憶部３０４より該当する検査を抽出する。
【００８５】
ステップＳ７０１において、検査制御部３０２は、ステップＳ７００で抽出された検査情報に基づいて、再撮影または追加撮影のための検査情報を生成する。ここでは、生成された検査情報には再撮影または追加撮影のための撮影プロトコルの情報は含まれない。
【００８６】
ステップＳ７０２において、検査制御部３０２は、検像装置１３０から受信した撮影の依頼が、再撮影要求であるか追加撮影要求であるかを判定する。再撮影要求であった場合はステップＳ７０３に進み、追加撮影要求であった場合はステップＳ７０４に進む。
【００８７】
第一の実施形態においては、検像装置１３０から受信した依頼の情報の中に、再撮影の依頼であるか、追加撮影の依頼であるかを示す情報が含まれる。図５に示す例においては、検像技師は再撮影を依頼する場合には再撮影依頼ボタン５１２を押下し、追加撮影を依頼する場合には追加撮影依頼ボタン５１３を押下する。検像装置１３０の撮影依頼部１３４は、再撮影依頼ボタン５１２が押下された場合には、たとえば再撮影フラグをＯＮにして撮影制御装置１０に依頼の情報を送信する。また撮影依頼部１３４は、追加撮影依頼ボタン５１３が押下された場合には、たとえば追加撮影フラグをＯＮにして撮影制御装置１０に依頼の情報を送信する。撮影制御装置１０の検査制御部３０２は、再撮影フラグがＯＮであれば当該依頼が再撮影の依頼であると判定し、追加撮影フラグがＯＮであれば当該依頼が追加撮影の依頼であると判定する。
【００８８】
ステップＳ７０３において、検査制御部３０２は検像装置１３０から受信した再撮影の依頼の情報の中から、再撮影を行う対象である画像データの画像ＩＤを取得する。
【００８９】
ステップＳ７０４において、検査制御部３０２は再撮影または追加撮影における撮影手技であるプロトコル情報を取得する。ステップＳ７０２で再撮影要求であると判定された場合には、ステップＳ７０３で取得した画像ＩＤに基づいて、再撮影の対象である画像データの撮影に用いられた撮影手技のプロトコルＩＤを記憶部３０４から取得する。ステップＳ７０２において追加撮影要求であると判定された場合には、当該依頼の情報に含まれるプロトコルＩＤを取得する。
【００９０】
ステップＳ７０５において、ステップＳ７０４で取得したプロトコル情報に基づいて、ステップＳ７０１で生成した検査に、実施予定の撮影の撮影手技を示すプロトコル情報を追加する。これにより、再撮影及び追加撮影のための検査情報が、検査制御部３０２により生成され、再撮影及び追加撮影を実施することができる。
【００９１】
ステップＳ７０６において、撮影実施部３０３はステップＳ７０５で生成された検査情報に基づいて、撮影を実施する。撮影実施部３０３が撮影を実施するための処理については、図６に示すステップＳ６０３の処理と同様であるため、詳しい説明を省略する。検査制御部３０２は、撮影された画像データに対して、付帯情報を付帯させる。ステップＳ７０２で再撮影要求であると判定された場合には、検査制御部３０２は、検像装置１３０からの依頼の情報に含まれる、再撮影の対象である画像の画像ＩＤを、ステップＳ７０６で撮影された再撮影画像の画像ＩＤとして付帯させる。ステップＳ７０２で追加撮影要求であると判定された場合には、検査制御部３０２は、新規に画像ＩＤを発行し、ステップＳ７０６で撮影された追加撮影画像の画像ＩＤとして付帯させる。これにより、ステップＳ７０６で撮影された画像データを外部装置で扱う際に、再撮影画像であるか、追加撮影画像データであるかを区別することができる。
【００９２】
ステップＳ７０７において、検査制御部３０２は再撮影または追加撮影の検査が終了したか否かを判定する。ステップＳ７０７における判定の処理は、図６に示すステップＳ６０４と同様の処理であるため詳しい説明を省略する。
【００９３】
ステップＳ７０８において、検査制御部３０２は、再撮影または追加撮影が依頼された検査の検査完了通知が、撮影制御装置１０からＲＩＳ１１２に既に送信されているか否かを判定する。既に検査完了通知がＲＩＳ１１２に送信されている場合には、ステップＳ７０９に進む。まだ検査完了通知がＲＩＳ１１２に送信されていない場合には、ステップＳ７１０に進む。
【００９４】
ステップＳ７０９において、検査制御部３０２は、再撮影または追加撮影を含む検査を一意に識別するためのＩＤとして、検査ＩＤを新規に発行する。これにより、既にＲＩＳ１１２に検査完了通知が送信されている検査に対して、新しく画像データが送信され情報の不整合が生じるのを防ぐことができる。
【００９５】
ステップＳ７１０において、画像送信部３０５はステップＳ７０６で撮影された画像データを外部装置に送信する。第一の実施形態においては、ステップＳ７１０において画像送信部３０５は検像装置１３０に画像データを送信する。ステップＳ７１０の処理は、図６に示すステップＳ６０５の処理と同様であるため、詳しい説明を省略する。
【００９６】
ステップＳ７１１において、検査制御部３０２は検査終了情報を再作成する。ステップＳ７０９で検査ＩＤが新たに発行された場合には、検査終了情報は検像装置１３０から依頼された撮影の情報のみが含まれる。ステップＳ７０８で、検査完了通知がＲＩＳ１１２に送信されていないと判定された場合には、再撮影または追加撮影の対象となった検査の検査ＩＤが用いられる。検査制御部３０２により作成される検査終了情報は、依頼前の撮影と依頼された撮影の情報が含まれる。
【００９７】
ステップＳ７１２において、ＲＩＳ送受信部３０１は検査完了通知をＲＩＳ１１２に送信する。ステップＳ７１２の処理は、図６に示すステップＳ６０７と同様であるため、詳しい説明を省略する。
【００９８】
以上のように、モダリティ１００は検像装置１３０からの再撮影または追加撮影の依頼に応じて、検査情報を適切に生成することができる。また、再撮影画像には、再撮影の対象となった画像データの画像ＩＤと同じ画像ＩＤを付帯させることにより、再撮影が依頼される原因となった画像データを、置き換えるための画像データとして送信することができる。さらに、再撮影または追加撮影が依頼された検査の検査完了通知が完了している場合には検査ＩＤを新たに発行することで、ＨＩＳ１１１やＲＩＳ１１２といった院内の情報システムにおいて、再撮影や追加撮影による情報の不整合を防ぐことができる。
【００９９】
［第二の実施形態］
第二の実施形態にかかる情報処理装置は、外部装置から受信した検査情報に基づいて、再撮影や追加撮影のための検査情報を生成する。
【０１００】
第一の実施形態では、モダリティ１００の記憶部３０４に、再撮影や追加撮影が依頼された検査の検査情報や画像データが存在する場合を例に説明した。しかし、たとえばモダリティ１０１で実施した検査に対する再撮影や追加撮影の依頼を、モダリティ１００が受信して実施することも考えられる。第二の実施形態では、ＲＩＳ１１２といった管理装置とは異なる他の外部装置から受信した再撮影や追加撮影の依頼に基づいて、当該外部装置から検査情報や画像データの情報を取得し、再撮影や追加撮影の検査情報を生成する場合を例に説明する。
【０１０１】
第二の実施形態にかかる情報制御装置は、たとえばモダリティ１００の撮影制御装置１０であり、構成やＧＵＩは図２、図３、図４、図６に示した例と同様であるため、詳しい説明を省略する。また、検像装置１３０の構成やＧＵＩは図３、図５に示した例と同様であるため、詳しい説明を省略する。
【０１０２】
図８は、撮影制御装置１０が再撮影や追加撮影の依頼を受信し、検査を終了するまでの処理の一例を示すフローチャートである。
【０１０３】
モダリティ１００は、検像装置１３０からの再撮影や追加撮影の依頼を依頼受信部３０６により取得する。依頼受信部３０６は検査制御部３０２へ依頼の情報を送信する。
【０１０４】
ステップＳ８００において、付帯情報取得部３０７は検像装置１３０に対して、再撮影や追加撮影の依頼があった検査の検査情報を送信するように外部装置に要求する。第二の実施形態において、外部装置は検像装置１３０である。たとえば、付帯情報取得部３０７は、依頼の情報に含まれる検査ＩＤ、画像ＩＤ、プロトコルＩＤといった付帯情報を送信するように、検像装置１３０に要求する。
【０１０５】
ステップＳ８０１において、付帯情報取得部３０７はステップＳ８００で要求した付帯情報を取得する。検像装置１３０はステップＳ８００において送信された要求を付帯情報管理部１３１が受信する。付帯情報管理部１３１は、撮影制御装置１０からの要求に基づいて、再撮影や追加撮影の対象となる検査や画像を特定し、当該要求に応じた付帯情報を撮影制御装置１０に送信する。付帯情報取得部３０７は、検像装置１３０から受信した、検査ＩＤ、画像ＩＤ、プロトコルＩＤといった情報を検査制御部３０２に送信する。
【０１０６】
ステップＳ８０２において、検査制御部３０２は、再撮影または追加撮影のための検査情報を生成する。ステップＳ８０２の処理は、図７に示すステップＳ７０１と同様である。
【０１０７】
ステップＳ８０３において、検査制御部３０２は再撮影または追加撮影における撮影手技であるプロトコル情報を取得する。検査制御部３０２は、図７に示すステップＳ７０４における処理と同様にして、ステップＳ８０１で取得した情報に基づいて、行うべき撮影の撮影手技を示すプロトコルＩＤを取得する。
【０１０８】
ステップＳ８０４において、ステップＳ８０３で取得したプロトコル情報に基づいて、ステップＳ８０２で生成した検査に、実施予定の撮影の撮影手技を示すプロトコル情報を追加する。これにより、再撮影及び追加撮影のための検査情報が、検査制御部３０２により生成され、再撮影及び追加撮影を実施することができる。
【０１０９】
ステップＳ８０５において、撮影実施部３０３はステップＳ８０４で生成された検査情報に基づいて、撮影を実施する。図７に示すステップＳ７０６と同様の処理であるため、詳しい説明を省略する。
【０１１０】
ステップＳ８０６において、検査制御部３０２は再撮影または追加撮影の検査が終了したか否かを判定する。ステップＳ８０６における判定の処理は、図６に示すステップＳ６０４と同様の処理であるため詳しい説明を省略する。検査終了と判定された場合には、ステップＳ８０７に進む。検査が終了していないと判定された場合には、ステップＳ８０５に進む。
【０１１１】
ステップＳ８０７において、検査制御部３０２は再撮影または追加撮影を含む検査を終了する処理を行う。ステップＳ８０７における処理は、図７に示すステップＳ７０８乃至ステップＳ７１２の処理と同様であるため、詳しい説明を省略する。
【０１１２】
以上のように、撮影制御装置１０は再撮影や追加撮影を行うのに必要な付帯情報である画像ＩＤや検査ＩＤやプロトコルＩＤを外部装置から取得し、再撮影や追加撮影を行うための検査情報を生成することができる。
【０１１３】
上述の例では、外部装置から再撮影や追加撮影の依頼を受けて、撮影制御装置１０が外部装置に付帯情報を送信するように要求する例について説明した。本発明はこれに限らず、たとえば検査制御部３０２は、外部装置からの依頼に対応するための検査情報が記憶部３０４に格納されているか否かを判定する。記憶部３０４に対応する検査情報が格納されている場合には第一の実施形態として示した処理を行い、格納されていない場合に図８に示す処理を行うようにしてもよい。
【０１１４】
［第三の実施形態］
第三の実施形態にかかる情報処理装置は、再撮影や追加撮影の依頼を受け、ＲＩＳ１１２から検査情報を取得し、再撮影や追加撮影を行うための検査情報を生成する。
【０１１５】
第三の実施形態にかかる情報処理装置は、モダリティ１００の撮影制御装置１０であり、構成やＧＵＩは図２、図３、図４、図６に示した例と同様であるため、詳しい説明を省略する。
【０１１６】
ＲＩＳ送受信部３０１はＲＩＳ１１２と通信を行い、特に検査要求情報を受信する。検査要求情報をＲＩＳ１１２に要求するにあたり、ＲＩＳ送受信部３０１は患者ＩＤ、患者氏名などの患者情報や、検査ＩＤなどの検査情報や、プロトコルＩＤなどの撮影情報を検索条件としてＲＩＳ１１２に送信する。ＤＩＣＯＭのＭｏｄａｌｉｔｙ  Ｗｏｒｋｌｉｓｔ  Ｍａｎａｇｅｍｅｎｔによると、検査取得要求に含めた情報は、ＲＩＳにおいて検査の抽出条件として扱われる。ＲＩＳ送受信部３０１より検索条件を含む要求を受けたＲＩＳ１１２は、条件に合致する検査要求情報を生成し、撮影制御装置１０に送信する。ＲＩＳ送受信部３０１は構成やＧＵＩは図２、図３、図４、図６に示した例と同様であるため、詳しい説明を省略する。ＲＩＳ１１２から送信された検査要求情報を受信する。ＲＩＳ１１２は受信した検査要求情報を検査制御部３０２と記憶部３０４に送信する。
【０１１７】
図９は、外部装置から再撮影や追加撮影の依頼を受けた撮影制御装置１０が、再撮影や追加撮影を含む検査を終了するまでの処理の一例を示すフローチャートである。
【０１１８】
モダリティ１００は、検像装置１３０からの再撮影や追加撮影の依頼を依頼受信部３０６により取得する。依頼受信部３０６は検査制御部３０２へ依頼の情報を送信する。
【０１１９】
ステップＳ９００において、検査制御部３０２は、再撮影要求や追加撮影要求に含まれる、患者ＩＤ、検査ＩＤ、プロトコルＩＤといった情報を検索条件とする検査取得要求をＲＩＳ送受信部３０１からＲＩＳ１１２へ送信する。
【０１２０】
ステップＳ９０１において、ＲＩＳ送受信部３０１はＲＩＳ１１２から情報を取得する。ＲＩＳ１１２は、ステップＳ９００においてモダリティ１００から送信された検査取得要求に対応する検査情報をモダリティ１００へ送信する。ＲＩＳ送受信部３０１は、ＲＩＳから送信された検査情報を受信し、検査制御部３０２に送信する。
【０１２１】
ステップＳ９０２において、検査制御部３０２は、再撮影または追加撮影のための検査情報を生成する。ステップＳ８０２の処理は、図７に示すステップＳ７０１と同様である。
【０１２２】
ステップＳ９０３において、検査制御部３０２は再撮影または追加撮影における撮影手技であるプロトコル情報を取得する。検査制御部３０２は、図７に示すステップＳ７０４における処理と同様にして、ステップＳ９０１で取得した情報に基づいて、行うべき撮影の撮影手技を示すプロトコルＩＤを取得する。
【０１２３】
ステップＳ９０４において、ステップＳ９０３で取得したプロトコル情報に基づいて、ステップＳ９０２で生成した検査に、実施予定の撮影の撮影手技を示すプロトコル情報を追加する。これにより、再撮影及び追加撮影のための検査情報が、検査制御部３０２により生成され、再撮影及び追加撮影を実施することができる。撮影技師は、ＲＩＳ１１２から取得した情報に対して、必要に応じて変更を加えて再撮影や追加撮影のためのプロトコル情報を追加してもよい。
【０１２４】
ステップＳ９０５において、撮影実施部３０３はステップＳ９０４で生成された検査情報に基づいて、撮影を実施する。図７に示すステップＳ７０６と同様の処理であるため、詳しい説明を省略する。
【０１２５】
ステップＳ９０６において、検査制御部３０２は再撮影または追加撮影の検査が終了したか否かを判定する。ステップＳ９０６における判定の処理は、図６に示すステップＳ６０４と同様の処理であるため詳しい説明を省略する。検査終了と判定された場合には、ステップＳ９０７に進む。検査が終了していないと判定された場合には、ステップＳ９０５に進む。
【０１２６】
ステップＳ９０７において、検査制御部３０２は再撮影または追加撮影を含む検査を終了する処理を行う。ステップＳ９０７における処理は、図７に示すステップＳ７０８乃至ステップＳ７１２の処理と同様であるため、詳しい説明を省略する。
【０１２７】
以上のように、撮影制御装置１０は再撮影や追加撮影を行うのに必要な付帯情報である画像ＩＤや検査ＩＤやプロトコルＩＤをＲＩＳ１１２から取得し、再撮影や追加撮影を行うための検査情報を生成することができる。特に、ＲＩＳ１１２に対して検査情報を要求するための仕組みが既に利用されているので、簡易に行うことができる。
【０１２８】
［変形例］
第一の実施形態乃至第三の実施形態においては、外部装置から受信した撮影を依頼する情報に含まれる、再撮影フラグや追加撮影フラグといった情報に基づいて、当該依頼の情報が再撮影であるか追加撮影であるかを判定する例を説明した。本発明はこれに限らず、外部装置から受信した撮影を依頼する情報に含まれるその他の情報に基づいて、再撮影の依頼であるか追加撮影の依頼であるかを判定してもよい。たとえば、外部装置から受信した撮影の依頼に、検査ＩＤと画像ＩＤが含まれている場合には、当該依頼は再撮影の依頼であると判定する。再撮影は特定の画像の撮り直しを目的とするものであるので、撮り直しの対象となる画像を特定できれば、再撮影を行うことができるためである。また、外部装置から受信した撮影の依頼に、検査ＩＤとプロトコルＩＤが含まれている場合には、当該依頼は追加撮影の依頼であると判定する。追加撮影は特定の検査に新しい画像の撮影を追加することを目的とするものであるので、追加する対象となる検査の情報と、追加する撮影手技の情報が必要であるためである。
【０１２９】
本発明は、上述の実施形態の１以上の機能を実現するプログラムを、ネットワークまたは記憶媒体を介してシステムまたは装置に供給し、そのシステムまたは装置のコンピュータにおける１つ以上のプロセッサがプログラムを読出し実行する処理でも実現可能である。また、１以上の機能を実現する回路（例えば、ＡＳＩＣ）によっても実現可能である。
【０１３０】
上述の各実施形態における情報処理装置は、単体の装置として実現してもよいし、複数の装置を互いに通信可能に組合せて上述の処理を実行する形態としてもよく、いずれも本発明の実施形態に含まれる。共通のサーバ装置あるいはサーバ群で、上述の処理を実行することとしてもよい。情報処理装置および情報処理システムを構成する複数の装置は所定の通信レートで通信可能であればよく、また同一の施設内あるいは同一の国に存在することを要しない。
【０１３１】
本発明の実施形態には、前述した実施形態の機能を実現するソフトウェアのプログラムを、システムあるいは装置に供給し、そのシステムあるいは装置のコンピュータが該供給されたプログラムのコードを読みだして実行するという形態を含む。
【０１３２】
したがって、実施形態に係る処理をコンピュータで実現するために、該コンピュータにインストールされるプログラムコード自体も本発明の実施形態の一つである。また、コンピュータが読みだしたプログラムに含まれる指示に基づき、コンピュータで稼働しているＯＳなどが、実際の処理の一部または全部を行い、その処理によっても前述した実施形態の機能が実現され得る。
【０１３３】
上述の実施形態を適宜組み合わせた形態も、本発明の実施形態に含まれる。
【図１】
0006732520.tif 000002
【図２】
0006732520.tif 000003
【図３】
0006732520.tif 000004
【図４】
0006732520.tif 000005
【図５】
0006732520.tif 000006
【図６】
0006732520.tif 000007
【図７】
0006732520.tif 000008
【図８】
0006732520.tif 000009
【図９】
0006732520.tif 000010